(57)【要約】【課題】従来の閃光装置との互換性を有する小型の交換レンズ式のデジタルカメラを提供する。【解決手段】カメラ本体は、着脱可能なレンズユニットを支持するボディマウントと、被写体の光学像を撮像して画像データを生成する撮像素子と、着脱可能な閃光装置を支持するホットシューと、撮像素子からの画像データに基づき評価値を算出してビデオＡＦを行うカメラコントローラーと、を備える。前記カメラコントローラーは、補助光を使用すると判断した場合であってビデオＡＦに対応していない外部補助光源を有する閃光装置が装着された場合に、当該閃光装置の外部補助光源を発光させ、赤色のカラーフィルターが配置された画素からの信号を静止画撮影時よりも強調して画像データを取得するように前記撮像素子を制御する。【選択図】図１２
2010074589.tif 000002
【特許請求の範囲】
【請求項１】
着脱可能なレンズユニットを支持するボディマウントと、
被写体の光学像を撮像して画像データを生成する撮像素子と、
着脱可能な閃光装置を支持するホットシューと、
撮像素子からの画像データに基づき評価値を算出してビデオＡＦを行うカメラコントローラーと、を備え、
前記カメラコントローラーは、補助光を使用すると判断した場合であってビデオＡＦに対応していない外部補助光源を有する閃光装置が装着された場合に、当該閃光装置の外部補助光源を発光させ、赤色のカラーフィルターが配置された画素からの信号を静止画撮影時よりも強調して画像データを取得するように前記撮像素子を制御する、
カメラ本体。
【請求項２】
前記カメラコントローラーは、静止画撮影時の青色のカラーフィルターが配置された画素からの信号の増幅率に対する赤色のカラーフィルターが配置された画素からの信号の増幅率の比よりもビデオＡＦ時の青色のカラーフィルターが配置された画素からの信号の増幅率に対する赤色のカラーフィルターが配置された画素からの信号の増幅率の比を大きくし、および/または、静止画撮影時の緑色のカラーフィルターが配置された画素からの信号の増幅率に対する赤色のカラーフィルターが配置された画素からの信号の増幅率の比よりもビデオＡＦ時の緑色のカラーフィルターが配置された画素からの信号の増幅率に対する赤色のカラーフィルターが配置された画素からの信号の増幅率の比を大きくするようして前記画像データを取得するに前記撮像素子を制御することで、赤色のカラーフィルターが配置された画素からの信号を静止画撮影時よりも強調して画像データを取得するように前記撮像素子を制御する、
請求項１に記載のカメラ本体。
【請求項３】
前記カメラコントローラーは、赤色のカラーフィルターが配置された画素からの信号にのみ基づいて画像データを取得するように前記撮像素子を制御することで、赤色のカラーフィルターが配置された画素からの信号を静止画撮影時よりも強調して画像データを取得するように前記撮像素子を制御する、
請求項１に記載のカメラ本体。
【請求項４】
前記カメラコントローラーは、ビデオＡＦに対応している外部補助光源を発光させビデオＡＦを行う際、ビデオＡＦに対応している外部補助光源の光と基準光との焦点位置のずれを補正し、ビデオＡＦに対応していない外部補助光源を発光させビデオＡＦを行う際、ビデオＡＦに対応していない外部補助光源の光と基準光との焦点位置のずれを補正する、
請求項１から３のいずれかに記載のカメラ本体。
【請求項５】
前記カメラコントローラーは、ビデオＡＦに対応している外部補助光源を発光させビデオＡＦを行う際、ビデオＡＦに対応している外部補助光源の光と基準光との焦点位置のずれを補正するためにフォーカスレンズを移動する量である第１補正量を用い、ビデオＡＦに対応していない外部補助光源を発光させビデオＡＦを行う際、ビデオＡＦに対応していない外部補助光源の光と基準光との焦点位置のずれを補正するためにフォーカスレンズを移動する量である第２補正量を用いる、
請求項１から３のいずれかに記載のカメラ本体。
【請求項６】
前記カメラコントローラーは、外部補助光源がビデオＡＦに対応可能か否かに関するビデオＡＦ可否の情報を当該閃光装置から取得し、当該ＡＦ可否の情報に基づいて当該閃光装置の外部補助光源がビデオＡＦに対応しているか否かを判断する、
請求項１から５のいずれかに記載のカメラ本体。
【請求項７】
前記カメラコントローラーは、前記ビデオＡＦ可否の情報がビデオＡＦ可の場合は、前記装着された閃光装置の外部補助光源がビデオＡＦに対応可能と判断し、前記ビデオＡＦ可否の情報がビデオＡＦ否の場合、または、前記ビデオＡＦ可否の情報が取得できなかった場合は、ビデオＡＦに対応不可能と判断する、
請求項６に記載のカメラ本体。
【請求項８】
前記カメラコントローラーは、装着された閃光装置の品番に関する品番情報を当該閃光装置から取得し、当該品番情報に基づいて当該閃光装置の外部補助光源がビデオＡＦに対応しているか否かを判断する、
請求項１から５のいずれかに記載のカメラ本体。
【請求項９】
前記カメラコントローラーは、ビデオＡＦに対応している外部補助光源を有する閃光装置の品番情報のリストを記憶し、前記装着された閃光装置から取得した前記品番情報が当該リストの品番情報と一致する場合には、当該装着された閃光装置の外部補助光源がビデオＡＦに対応可能と判断し、前記装着された閃光装置から取得した前記品番情報が当該リストの品番情報と一致しない場合には、当該装着された閃光装置の外部補助光源がビデオＡＦに対応不可能と判断する、
請求項８に記載のカメラ本体。
【請求項１０】
前記カメラコントローラーは、ビデオＡＦに対応していない外部補助光源を有する閃光装置の品番情報のリストを記憶し、前記装着された閃光装置から取得した前記品番情報が当該リストの品番情報と一致しない場合には、当該装着された閃光装置の外部補助光源がビデオＡＦに対応可能と判断し、前記装着された閃光装置から取得した前記品番情報が当該リストの品番情報と一致する場合には、当該装着された閃光装置の外部補助光源がビデオＡＦに対応不可能と判断する、
請求項８に記載のカメラ本体。
【請求項１１】
着脱可能なレンズユニットを支持するボディマウントと、
被写体の光学像を撮像して画像データを生成する撮像素子と、
着脱可能な閃光装置を支持するホットシューと、
撮像素子からの画像データに基づき評価値を算出してビデオＡＦを行うカメラコントローラーと、を備え、
前記カメラコントローラーは、補助光を使用すると判断した場合であって近赤外光を発する外部補助光源を有する閃光装置が装着された場合に、当該閃光装置の外部補助光源を発光させ、赤色のカラーフィルターが配置された画素からの信号を静止画撮影時よりも強調して画像データを取得するように前記撮像素子を制御する、
カメラ本体。
【請求項１２】
請求項カメラコントローラーは、静止画撮影時の青色のカラーフィルターが配置された画素からの信号の増幅率に対する赤色のカラーフィルターが配置された画素からの信号の増幅率の比よりもビデオＡＦ時の青色のカラーフィルターが配置された画素からの信号の増幅率に対する赤色のカラーフィルターが配置された画素からの信号の増幅率の比を大きくし、および/または、静止画撮影時の緑色のカラーフィルターが配置された画素からの信号の増幅率に対する赤色のカラーフィルターが配置された画素からの信号の増幅率の比よりもビデオＡＦ時の緑色のカラーフィルターが配置された画素からの信号の増幅率に対する赤色のカラーフィルターが配置された画素からの信号の増幅率の比を大きくするようして前記画像データを取得するに前記撮像素子を制御することで、赤色のカラーフィルターが配置された画素からの信号を静止画撮影時よりも強調して画像データを取得するように前記撮像素子を制御する、
請求項１１に記載のカメラ本体。
【請求項１３】
前記カメラコントローラーは、赤色のカラーフィルターが配置された画素からの信号にのみ基づいて画像データを取得するように前記撮像素子を制御することで、赤色のカラーフィルターが配置された画素からの信号を静止画撮影時よりも強調して画像データを取得するように前記撮像素子を制御する、
請求項１１に記載のカメラ本体。
【請求項１４】
前記カメラコントローラーは、赤色光を発する外部補助光源を発光させビデオＡＦを行う際、赤色光と基準光との焦点位置のずれを補正し、近赤外光を発する外部補助光源を発光させビデオＡＦを行う際、近赤外光と基準光との焦点位置のずれを補正する、
請求項１１から１３のいずれかに記載のカメラ本体。
【請求項１５】
前記カメラコントローラーは、赤色光を発する外部補助光源を発光させビデオＡＦを行う際、赤色光と基準光との焦点位置のずれを補正するためにフォーカスレンズを移動する量である第１補正量を用い、近赤外光を発する外部補助光源を発光させビデオＡＦを行う際、近赤外光と基準光との焦点位置のずれを補正するためにフォーカスレンズを移動する量である第２補正量を用いる、
請求項１１から１３のいずれかに記載のカメラ本体。
【発明の詳細な説明】
【技術分野】
【０００１】
本発明は、静止画撮影を主に行うデジタルスチルカメラ、動画撮影を主に行うムービー等のカメラシステムに関する。特に、レンズユニットが着脱可能な交換レンズ式のカメラシステム、および、カメラ本体に関する。
【背景技術】
【０００２】
特許文献１は、一眼レフレックスカメラを開示している。このカメラは、ＣＣＤを備えるデジタルカメラである。このカメラは、レンズユニットが着脱可能な交換レンズ式のデジタルカメラである。このカメラは、レンズユニットとＣＣＤの間にミラーボックス装置を備える。そして、ミラーボックス装置がレンズユニットからの被写体光束をＣＣＤまたはプリズムのいずれかに導く。プリズムに導かれた被写体光束はプリズムによってファインダに導かれる。
【特許文献１】特開２００７−１２７８３６号公報
【発明の開示】
【発明が解決しようとする課題】
【０００３】
従来の交換レンズ式のデジタルカメラは、ミラーボックス装置を備えていたため、カメラ本体の小型化が困難であった。そこで、本願の発明者らは、ミラーボックス装置を有しない新しい交換レンズ式のデジタルカメラを考案した。そして、本願の発明者らは、新しい交換レンズ式のデジタルカメラの更なる開発において、撮像素子からの画像データに基づく合焦を行うカメラシステムにすると、従来の一眼レフレックスカメラに装着される閃光装置の補助光が使用できないことがあることを見出した。本発明は、この課題を解決し、従来の閃光装置との互換性を有する小型の交換レンズ式のデジタルカメラを提供することを目的とする。
【課題を解決するための手段】
【０００４】
上記目的は、以下のカメラ本体によって達成される。
【０００５】
当該カメラ本体は、
着脱可能なレンズユニットを支持するボディマウントと、
被写体の光学像を撮像して画像データを生成する撮像素子と、
着脱可能な閃光装置を支持するホットシューと、
撮像素子からの画像データに基づき評価値を算出してビデオＡＦを行うカメラコントローラーと、を備え、
前記カメラコントローラーは、補助光を使用すると判断した場合であってビデオＡＦに対応していない外部補助光源を有する閃光装置が装着された場合に、当該閃光装置の外部補助光源を発光させ、赤色のカラーフィルターが配置された画素からの信号を静止画撮影時よりも強調して画像データを取得するように前記撮像素子を制御する。
【０００６】
また、当該カメラ本体は、
着脱可能なレンズユニットを支持するボディマウントと、
被写体の光学像を撮像して画像データを生成する撮像素子と、
着脱可能な閃光装置を支持するホットシューと、
撮像素子からの画像データに基づき評価値を算出してビデオＡＦを行うカメラコントローラーと、を備え、
前記カメラコントローラーは、補助光を使用すると判断した場合であって近赤外光を発する外部補助光源を有する閃光装置が装着された場合に、当該閃光装置の外部補助光源を発光させ、赤色のカラーフィルターが配置された画素からの信号を静止画撮影時よりも強調して画像データを取得するように前記撮像素子を制御する。
【発明の効果】
【０００７】
本発明によれば、信頼性の高い小型の交換レンズ式のデジタルカメラを提供することができる。
【発明を実施するための最良の形態】
【０００８】
本発明の実施形態に係るカメラシステムおよびカメラ本体について説明する。なお、以下の実施形態は本発明の一実施形態であり、本発明はこれらの実施形態に限定されない。
【０００９】
＜第１実施形態＞
（１：構成）
（１−１：カメラシステムの概要）
図１は、本発明の第１実施形態に係るカメラシステム１の斜視図である。カメラシステム１は、カメラ本体１００とカメラ本体１００に着脱可能なレンズユニット２００とから構成される。図２は、カメラ本体１００の斜視図である。図３は、カメラシステム１の機能ブロック図である。カメラ本体１００は、ミラーボックス装置を有していない。そのため、従来の一眼レフレックスカメラに比してフランジバックを小さくすることができた。また、フランジバックを小さくすることで、カメラ本体が小型化されている。さらに、フランジバックを小さくすることで、レンズユニット２００は小型化されている。以下、各部の詳細について説明する。説明の便宜のため、カメラシステム１の被写体側を前、撮像面側を後ろ又は背、カメラシステム１の通常姿勢における鉛直上側を上、鉛直下側を下ともいう。
【００１０】
（１−２：カメラボディの構成）
図４は、カメラシステム１の概略断面図である。また、図５は、カメラ本体の背面図である。カメラ本体１００は、主に、ＣＭＯＳイメージセンサー１１０と、ＣＭＯＳ回路基板１１３と、カメラモニタ１２０と、操作部１３０と、カメラコントローラー１４０を含むメイン回路基板１４２と、ボディマウント１５０と、電源１６０と、カードスロット１７０と、電子ビューファインダー１８０と、シャッターユニット１９０と、光学フィルタ１１４と、振動板１１５と、内部フラッシュ１９１と、内部補助光源１９２と、ホットシュー１６１とを備える。なお、カメラ本体１００は、ミラーボックス装置を有していない。また、カメラ本体１００には、前から順に、ボディマウント１５０、シャッターユニット１９０、振動板１１５、光学フィルタ１１４、ＣＭＯＳイメージセンサー１１０、ＣＭＯＳ回路基板１１３、メイン回路基板１４２、カメラモニタ１２０が配置されている。
【００１１】
ＣＭＯＳイメージセンサー１１０は、レンズユニット２００を介して入射される被写体の光学像を撮像して画像データを生成する。ＣＭＯＳイメージセンサー１１０は、光電変換により電荷を蓄積可能な複数の画素が配列した光電変換層と、青色光のみを透過する青のカラーフィルターと緑色光のみを透過する緑のカラーフィルターと赤色光のみを透過する赤のカラーフィルターとが前記画素の前面に前記画素に１対１に対応して配列したカラーフィルター層とを有する。ＣＭＯＳイメージセンサー１１０は、青色のカラーフィルターが配置された画素からの信号、緑色のカラーフィルターが配置された画素からの信号、赤色のカラーフィルターが配置された画素からの信号をそれぞれ増幅することが可能である。ＣＭＯＳイメージセンサー１１０は、これらの信号に基づいて画像データを生成する。
【００１２】
生成された画像データは、ＡＤコンバーター１１１でデジタル化される。ＡＤコンバーター１１１でデジタル化された画像データは、カメラコントローラー１４０で様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ圧縮処理等である。
【００１３】
ＣＭＯＳイメージセンサー１１０は、タイミング発生器１１２で制御されるタイミングで動作する。ＣＭＯＳイメージセンサー１１０は、静止画像の撮像動作、及び、動画像の撮像動作等を行う。動画像の撮影動作には、スルー画像の撮影動作が含まれる。ここで、スルー画像とは、動画像の撮像後、メモリーカード１７１にデータを記録しない画像である。スルー画像は、主に動画像であり、動画像または静止画像の撮影のための構図を決めるためにカメラモニタ１２０および／または電子ビューファインダー１８０（以下、ＥＶＦとも言う）に表示されるものである。また、動画像の撮影動作には、動画像の記録動作も含まれる。動画像の記録動作とは、動画像の撮影動作およびメモリーカード１７１に動画データを記録する動作を含む動作である。なお、ＣＭＯＳイメージセンサー１１０は被写体の光学像を撮像して電気的な画像信号に変換する撮像素子の一例である。撮像素子は、ＣＣＤイメージセンサー等を含む概念である。
【００１４】
ＣＭＯＳ回路基板１１３は、ＣＭＯＳイメージセンサー１１０を駆動制御する回路基板である。また、ＣＭＯＳ回路基板１１３は、ＣＭＯＳイメージセンサー１１０からの画像データに所定の処理を施す回路基板である。ＣＭＯＳ回路基板１１３は、タイミング発生器１１２を含む。また、ＣＭＯＳ回路基板１１３は、ＡＤコンバーター１１１を含む。ＣＭＯＳ回路基板１１３は、撮像素子を駆動制御し、および／または撮像素子からの画像データにＡＤ変換等の所定の処理を施す撮像素子回路基板の一例である。
【００１５】
カメラモニタ１２０は、表示用画像データが示す画像等を表示する。表示用画像データは、カメラコントローラー１４０で作成される。表示用画像データは、画像処理された画像データや、カメラシステム１の撮影条件、操作メニュー等を画像として表示するためのデータ等である。カメラモニタ１２０は、動画像も静止画像も選択的に表示可能である。カメラモニタ１２０は、液晶ディスプレイを有する。
【００１６】
カメラモニタ１２０は、カメラ本体１００に設けられている。本実施形態では、カメラ本体１００の背面に配置されているが、カメラ本体のどこに配置されていてもよい。カメラモニタ１２０は、カメラ本体１００に対する表示面の角度が変更可能である。具体的には、カメラ本体１００は、カメラ本体１００とカメラモニタ１２０との間にヒンジ１２１を有している。ヒンジ１２１は、カメラ本体１００の左端に配置されている。ヒンジ１２１は、具体的には第１のヒンジと第２のヒンジを有する。具体的には第１のヒンジを中心に、カメラモニタ１２０は左右方向に回転可能である。また、第２のヒンジを中心に、上下方向にも回転可能である。
【００１７】
なお、カメラモニタ１２０はカメラ本体１００に設けられた表示部の一例である。表示部としては、他にも、有機ＥＬ、無機ＥＬ、プラズマディスプレイパネル等、画像を表示できるものを用いることができる。また、表示部は、カメラ本体１００の背面でなく、側面や上面等、他の場所に設けてもよい。
【００１８】
電子ビューファインダー１８０は、カメラコントローラー１４０で作成された表示用画像データが示す画像等を表示する。ＥＶＦ１８０は、動画像も静止画像も選択的に表示可能である。また、ＥＶＦ１８０とカメラモニタ１２０とは、同じ内容を表示する場合と、異なる内容を表示する場合とがある。これらは、カメラコントローラー１４０によって制御される。ＥＶＦ１８０は、画像等を表示するＥＶＦ用液晶モニタ１８１と、ＥＶＦ用液晶モニタの表示を拡大するＥＶＦ用光学系１８２と、使用者が目を近づける接眼窓１８３とを有する。
【００１９】
なお、ＥＶＦ１８０もまた、表示部の一例である。カメラモニタ１２０と異なる点は、使用者が目を近づけて見るためのものであることである。構造上の相違点は、ＥＶＦ１８０が接眼窓１８３を有するのに対してカメラモニタ１２０は接眼窓１８３を有しない点である。
【００２０】
また、ＥＶＦ用液晶モニタ１８１は、透過型液晶の場合はバックライト（不図示）を、反射型液晶の場合はフロントライト（不図示）を設けることで表示輝度を確保する。ＥＶＦ用液晶モニタ１８１は、ＥＶＦ用モニタの一例である。ＥＶＦ用モニタは、有機ＥＬ、無機ＥＬ、プラズマディスプレイパネル等、画像を表示できるものを用いることができる。有機ＥＬのような自発光デバイスの場合は、照明光源は必要ない。
【００２１】
操作部１３０は、使用者による操作を受け付ける。操作部１３０は、使用者により操作される。操作部１３０は、レリーズ釦１３１を含む。レリーズ釦１３１は使用者によるシャッター操作を受け付ける。操作部１３０は、電源スイッチ１３２を含む。電源スイッチ１３２は、カメラ本体１００の上面に設けられた回転式のダイアルスイッチである。第１の回転位置で電源がＯＦＦとなり、第２の回転位置で電源がＯＮとなる。操作部は、使用者による操作を受け付けることができればよく、ボタン、レバー、ダイアル、タッチパネル等を含む。
【００２２】
カメラコントローラー１４０は、ＣＭＯＳイメージセンサー１１０等の各部を含むカメラ本体１００全体を制御する。カメラコントローラー１４０は、電源１６０からの電力の供給が停止した状態でシャッターユニット１９０が開口状態を保持するようにシャッターユニット１９０を制御する。また、カメラコントローラー１４０は、操作部１３０からの指示を受け付ける。カメラコントローラー１４０は、レンズユニット２００を制御するための信号を、ボディマウント１５０及びレンズマウント２５０を介して、レンズコントローラー２４０に送信する。そして、レンズユニット２００の各部を間接的に制御する。すなわち、カメラコントローラー１４０は、カメラシステム１全体を制御する。また、カメラコントローラー１４０は、ボディマウント１５０及びレンズマウント２５０を介して、レンズコントローラー２４０から各種信号を受信する。カメラコントローラー１４０は、制御動作や画像処理動作の際に、ＤＲＡＭ１４１をワークメモリとして使用する。なお、カメラコントローラー１４０はボディ制御部の一例である。カメラコントローラー１４０は、メイン回路基板１４２上に配置されている。
【００２３】
カードスロット１７０は、メモリーカード１７１を装着可能である。カードスロット１７０は、カメラコントローラー１４０からの制御に基づいて、メモリーカード１７１を制御する。具体的には、カードスロット１７０は、メモリーカード１７１に画像データを格納する。カードスロット１７０は、メモリーカード１７１から画像データを出力する。また、メモリーカード１７１に動画データを格納する。カードスロット１７０は、メモリーカード１７１から動画データを出力する。
【００２４】
メモリーカード１７１は、カメラコントローラー１４０が画像処理により生成した画像データを格納可能である。例えば、メモリーカード１７１は、非圧縮のＲＡＷ画像ファイルや圧縮されたＪＰＥＧ画像ファイル等を格納できる。また、メモリーカード１７１は、内部に格納する画像データ又は画像ファイルを出力できる。メモリーカード１７１から出力された画像データ又は画像ファイルは、カメラコントローラー１４０で画像処理される。例えば、カメラコントローラー１４０は、メモリーカード１７１から取得した画像データ又は画像ファイルを伸張などして表示用画像データを生成する。
【００２５】
メモリーカード１７１は、さらに、カメラコントローラー１４０が画像処理により生成した動画データを格納可能である。例えば、メモリーカード１７１は、動画圧縮規格であるＨ．２６４／ＡＶＣに従って圧縮された動画ファイルを格納できる。また、メモリーカード１７１は、内部に格納する動画データ又は動画ファイルを出力できる。メモリーカード１７１から出力された動画データ又は動画ファイルは、カメラコントローラー１４０で画像処理される。例えば、カメラコントローラー１４０は、メモリーカード１７１から取得した動画データ又は動画ファイルを伸張して表示用動画データを生成する。なお、メモリーカード１７１は記憶部の一例である。記憶部は、メモリーカード１７１のようにカメラ本体１００に着脱可能なものでもよく、カメラシステム１００に固定されているものでもよい。
【００２６】
電源１６０は、カメラシステム１で使用するための電力を供給する。電源１６０は、例えば、乾電池であってもよいし、充電池であってもよい。また、電源コード等により外部から供給される電力をカメラシステム１に供給するものであってもよい。
【００２７】
ボディマウント１５０は、着脱可能なレンズユニット２００を保持する。ボディマウント１５０は、レンズユニット２００のレンズマウント２５０と機械的及び電気的に接続可能である。ボディマウント１５０とレンズマウント２５０とを介して、カメラ本体１００とレンズユニット２００との間で、データおよび／または制御信号を送受信可能である。具体的には、ボディマウント１５０とレンズマウント２５０とは、カメラコントローラー１４０とレンズコントローラー２４０との間で、データおよび／または制御信号を送受信する。ボディマウント１５０は、電源１６０から受けた電力を、レンズマウント２５０を介してレンズユニット２００全体に供給する。
【００２８】
具体的には、ボディマウント１５０は、ボディマウントリング１５１と、ボディマウント接点保持部１５２とを含む。ボディマウントリング１５１は、レンズユニット２００のレンズマウントリング２５１との光軸まわりの回転位置関係により、レンズマウントリング２５１と嵌合している状態または嵌合していない状態となる。すなわち、ボディマウントリング１５１とレンズマウントリング２５１との回転位置関係が第１の状態である場合には、レンズマウントリング２５１はボディマウントリング１５１に嵌合しておらす、レンズマウントリング２５１はボディマウントリング１５１に対して光軸方向に移動可能である。また、第１の状態でレンズマウントリング２５１をボディマウントリング１５１に挿入し、レンズマウントリング２５１をボディマウントリング１５１に対して回転させると、レンズマウントリング２５１はボディマウントリング１５１に嵌合する。このときのボディマウントリング１５１とレンズマウントリング２５１との回転位置関係が第２の状態である。回転位置関係が第２の状態であるとき、ボディマウントリング１５１はレンズユニット２００を機械的に保持する。そのため、ボディマウントリング１５１は強度が要求される。ボディマウントリング１５１は、金属で形成されているのが好ましい。ボディマウント接点保持部１５２は、複数の電気接点１５３を有する。電気接点１５３は、レンズマウント２５０が有する電気接点２５３とそれぞれ電気的に接続している。そして、ボディマウント１５０の電気接点１５３とレンズマウント２５０の電気接点２５３とによりボディマウント１５０とレンズマウント２５０とは電気的に接続可能である。また、ボディマウント１５０の電気接点１５３とレンズマウント２５０の電気接点２５３とにより電力、データおよび／または制御信号を送受信する。ボディマウント接点保持部１５２は、ボディマウントリング１５１とシャッターユニット１９０との間に配置されている。ボディマウント接点保持部１５２は、開口部を有する。
【００２９】
シャッターユニット１９０は、いわゆるフォーカルプレーンシャッターである。シャッターユニット１９０は、ボディマウント１５０とＣＭＯＳイメージセンサー１１０との間に配置される。シャッターユニット１９０は、シャッターユニット１９０は、開口状態を機械的に保持することができる。そして、シャッターユニット１９０は、カメラ本体１００の電源が停止した状態で機械的に開口状態が保持されるようにカメラコントローラー１４０により制御される。機械的に保持するとは、電気の力を使わずに開口状態を保持するという概念である。例えば、物と物とを係合するものや、永久磁石によって保持するものである。
【００３０】
光学フィルタ１１４は、被写体光の高周波成分を取り除く光学的ローパスフィルタの機能を有する。具体的には、光学フィルタ１１４は、レンズユニット２００により結像する被写体像をＣＭＯＳイメージセンサー１１０の画素のピッチよりも荒い解像となるように分離する。一般的にＣＭＯＳイメージセンサー等の撮像素子は、各画素にベイヤー配列と呼ばれるＲＧＢ色のカラーフィルターやＹＣＭ色の補色カラーフィルターが配されている。従って、１画素に解像してしまうと偽色が発生するばかりでなく、繰り返しパターンの被写体では醜いモアレ現象が発生する。さらに光学フィルタ１１４は、波長が
約７００ｎｍ以上の近赤外光をカットするためのＩｒカットフィルタの機能も併せ持つ。
【００３１】
振動板１１５は、ＣＭＯＳイメージセンサー１１０よりも前に配置され、ＣＭＯＳイメージセンサー１１０への埃の付着を防ぐ。また、振動板１１５自身に付着した埃を振動により振り落とす。具体的には、振動板１１５は、透明の薄い板状部材が圧電素子を介して他の部材に固定された構成である。そして、圧電素子に交流電圧を印加して圧電素子を振動させ、板状部材を振動させる。
【００３２】
内部フラッシュ１９１は、閃光を発光可能である。静止画を撮影する際、被写体に閃光を照射することで被写体を明るくする。内部フラッシュ１９１は、カメラコントローラー１４０によって閃光が制御される。内部フラッシュ１９１の閃光は、白色光である。
【００３３】
内部補助光源１９２は、オートフォーカスを行う際に被写体に光を照射可能である。内部補助光源１９２は、赤色を含む可視光の光を発する。本実施形態では、分光特性の強度のピーク値の波長が６１２ｎｍの光を発する。
【００３４】
ホットシュー１６１は、カメラ本体１００の上部に配置されている。ホットシュー１６１には、外部フラッシュ等の外部装置を設置可能である。外部装置は、ホットシュー１６１に嵌め込み固定可能である。ホットシュー１６１は、外部装置を支持可能である。ホットシュー１６１は、データ信号端子１６２、ＸＳＷ信号端子１６３、外部フラッシュ装着検知用端子１６４を有し、外部フラッシュの各端子と接触する。これにより、カメラ本体１００と外部フラッシュが同期できるようになっており、シャッターのタイミングに連動して外部フラッシュを発光させることができる。内部フラッシュ１９１および内部補助光源１９２を小型にすると、これらの発光量が小さくなり、遠くの被写体に光が十分に届かないことがあるが、発光量の大きい外部フラッシュを装着可能とすることで、使用者の撮影自由度を確保している。
【００３５】
（１−３：レンズユニットの構成）
レンズユニット２００は、光学系とレンズコントローラー２４０とレンズマウント２５０と絞りユニット２６０とレンズ筒２９０とを備える。レンズユニット２００の光学系はズームレンズ２１０、ＯＩＳレンズ２２０、および、フォーカスレンズ２３０を含む。光学系は、レンズ筒２９０の内部に収容されている。また、レンズ筒の外部には、ズームリング２１３とフォーカスリング２３４とＯＩＳスイッチ２２４とが設けられている。
【００３６】
ズームレンズ２１０は、レンズユニット２００の光学系で形成される被写体の光学像（以下、被写体像ともいう）の倍率、すなわち、光学系の焦点距離を変化させるためのレンズである。ズームレンズ２１０は、１枚又は複数枚のレンズで構成される。ズームレンズ２１０は、光学系の第１レンズ群Ｌ１と第２レンズ群Ｌ２とを含む。ズームレンズ２１０は、光学系の光軸ＡＸと平行な方向に移動することにより焦点距離を変化させる。
【００３７】
ズームリング２１３は筒状の部材であり、レンズ筒２９０の外周面で回転可能である。ズームリング２１３は、焦点距離を操作するズーム操作部の一例であり、操作後の位置に応じて焦点距離が決定されるズーム操作部の一例である。
【００３８】
駆動機構２１１は、使用者によりズームリング２１３が操作されると、当該操作をズームレンズ２１０に伝え、ズームレンズ２１０を光学系の光軸ＡＸ方向に沿って移動させる。一例として、駆動機構２１１はカム機構を有し、ズームリング２１３の回転動作をズームレンズ２１０の直進動作に変換する。駆動機構２１１は、ズームレンズ駆動手段の一例である。
【００３９】
検出器２１２は、駆動機構２１１における駆動量を検出する。レンズコントローラー２４０および／またはカメラコントローラー１４０は、この検出器２１２における検出結果を取得することにより、光学系における焦点距離を把握することができる。また、レンズコントローラー２４０および／またはカメラコントローラー１４０は、この検出器２１２における検出結果を取得することにより、ズームレンズ（Ｌ１，Ｌ２等）のレンズユニット２００内での光軸ＡＸ方向の位置を把握することができる。なお、駆動機構２１１は、ズームレンズ２１０を光軸ＡＸ方向に沿って移動できればよい。例えば、駆動機構２１１は、ズームリング２１３等の操作部の回転位置に従ってモータ等の駆動力発生部からの駆動力をズームレンズ２１０に伝え、ズームレンズ２１０をズームリング２１３の回転位置に対応する光軸ＡＸ方向の位置に移動するものであってもよい。
【００４０】
ＯＩＳレンズ２２０は、レンズユニット２００の光学系で形成される被写体像のぶれを補正するためのレンズである。具体的には、ＯＩＳレンズ２２０は、カメラシステム１のぶれによって生じる被写体像のぶれを補正する。ＯＩＳレンズ２２０は、カメラシステム１のぶれを相殺する方向に移動することにより、ＣＭＯＳイメージセンサー１１０と被写体像との相対的なぶれを小さくする。具体的には、ＯＩＳレンズ２２０は、カメラシステム１のぶれを相殺する方向に移動することにより、ＣＭＯＳイメージセンサー１１０上の被写体像のぶれを小さくする。ＯＩＳレンズ２２０は、１枚又は複数枚のレンズで構成される。アクチュエータ２２１は、ＯＩＳ用ＩＣ２２３からの制御を受けて、光学系の光軸ＡＸに垂直な面内でＯＩＳレンズ２２０を駆動する。
【００４１】
アクチュエータ２２１は、例えば、マグネットと平板コイルとで実現可能である。位置検出センサー２２２は、光学系の光軸ＡＸに垂直な面内におけるＯＩＳレンズ２２０の位置を検出するセンサーである。位置検出センサー２２２は、例えば、マグネットとホール素子で実現可能である。ＯＩＳ用ＩＣ２２３は、位置検出センサー２２２の検出結果及びジャイロセンサーなどのぶれ検出器の検出結果に基づいて、アクチュエータ２２１を制御する。ＯＩＳ用ＩＣ２２３は、レンズコントローラー２４０からぶれ検出器の検出結果を得る。また、ＯＩＳ用ＩＣ２２３は、レンズコントローラー２４０に対して、光学的像ぶれ補正処理の状態を示す信号を送信する。
【００４２】
なお、ＯＩＳレンズ２２０は、ぶれ補正部の一例である。カメラシステム１のぶれによって生じる被写体像のぶれを補正する手段として、ＣＣＤからの画像データに基づいて補正した画像データを生成する電子式ぶれ補正を適用してもよい。また、カメラシステム１のぶれによって生じるＣＭＯＳイメージセンサー１１０と被写体像との相対的なぶれを小さくする手段として、ＣＭＯＳイメージセンサー１１０を光学系の光軸ＡＸと平行な垂直な面内で駆動する構成としてもよい。
【００４３】
ＯＩＳスイッチ２２４は、ＯＩＳを操作するための操作部の一例である。ＯＩＳスイッチ２２４をＯＦＦにするとＯＩＳレンズ２２０は動作しない。ＯＩＳスイッチ２２４をＯＮにするとＯＩＳレンズ２２０は動作可能となる。
【００４４】
フォーカスレンズ２３０は、光学系がＣＭＯＳイメージセンサー１１０上に形成する被写体像のフォーカス状態を変化させるためのレンズである。フォーカスレンズ２３０は、１枚又は複数枚のレンズで構成される。ズームレンズ２１０は、光学系の光軸ＡＸと平行な方向に移動することにより被写体像のフォーカス状態を変化させる。
【００４５】
フォーカスモータ２３３は、レンズコントローラー２４０の制御に基づいて、フォーカスレンズ２３０が光学系の光軸ＡＸに沿って進退するよう駆動する。これにより、光学系によりＣＭＯＳイメージセンサー１１０上に形成される被写体像のフォーカス状態を変化させることができる。フォーカスモータ２３３は、ズームレンズ２１０の駆動から独立してフォーカスレンズ２３０を駆動することができる。具体的には、フォーカスモータ２３３は、第２レンズ群Ｌ２を基準に、フォーカスレンズ２３０を光軸ＡＸ方向に駆動する。言い換えると、フォーカスモータ２３３は、第２レンズ群Ｌ２とフォーカスレンズ２３０との光軸ＡＸ方向の相対距離を変更可能である。フォーカスレンズ２３０とフォーカスモータ２３３とは第２レンズ群Ｌ２とともに光軸ＡＸ方向に移動する。従って、ズーム動作により第２レンズ群Ｌ２が光軸ＡＸ方向に移動すると、フォーカスレンズ２３０およびフォーカスモータ２３３も光軸ＡＸ方向に移動する。また、第２レンズ群Ｌ２が光軸ＡＸ方向に静止している状態でも、フォーカスモータ２３３は第２レンズ群Ｌ２を基準に、フォーカスレンズ２３０を光軸ＡＸ方向に駆動することができる。フォーカスモータ２３３は、ＤＣモータやステッピングモータ、サーボモータ、超音波モータなどによって実現できる。フォーカスモータ２３３は、フォーカスレンズ駆動手段の一例である。
【００４６】
相対位置検出器２３１及び絶対位置検出器２３２は、フォーカスレンズ２３０の駆動状態を示す信号を生成するエンコーダである。相対位置検出器２３１は、磁気スケールと磁気センサーとを有し、磁気の変化を検出し磁気の変化に応じた信号を出力する。磁気センサーは、例えばＭＲセンサーである。絶対位置検出器２３２は、第２レンズ群Ｌ２に対するフォーカスレンズ２３０の原点位置を検出する原点検出器である。絶対位置検出器２３２は、例えばフォトセンサである。レンズコントローラー２４０は、絶対位置検出器２３２からの信号によりフォーカスレンズ２３０が原点にあることを認識する。このとき、レンズコントローラー２４０は、内部に設けたカウンタ２４３を値セットする。このカウンタ２４３は、相対位置検出器２３１から出力される信号により磁気変化の極値をカウントする。そして、フォーカスレンズ２３０を光軸ＡＸと平行な第１の方向に移動するときに磁気変化の極値が検出されると、カウントを「＋１」する。また、フォーカスレンズ２３０を光軸ＡＸと平行な第１の方向と反対の第２の方向に移動するときに磁気変化の極値が検出されると、カウントを「−１」する。このようにして、レンズコントローラー２４０は、絶対位置である原点位置からの相対位置を検出することにより、第２レンズ群Ｌ２に対するフォーカスレンズ２３０の光軸ＡＸ方向の位置を把握可能である。また、上述のとおり、レンズコントローラー２４０は、第２レンズ群Ｌ２のレンズユニット２００内での光軸ＡＸ方向の位置を把握可能である。従って、レンズコントローラー２４０は、フォーカスレンズ２３０のレンズユニット２００内での光軸ＡＸ方向の位置を把握可能である。相対位置検出器２３１及び絶対位置検出器２３２は、フォーカスレンズ位置検出手段の一例である。フォーカスレンズ位置検出手段は、フォーカスレンズの位置を直接検出するものでもよく、フォーカスレンズに連動する機構部材の位置を検出するものでもよい。
【００４７】
絞りユニット２６０は、光学系を透過する光の量を調整する光量調整部材である。絞りユニット２６０は、光学系を透過する光の光線の一部を遮蔽可能な絞り羽根と、絞り羽根を駆動しその遮蔽量を変更して光量を調整する絞り駆動部とを有する。カメラコントローラー１４０は、ＣＭＯＳイメージセンサー１１０が受けた光の量、静止画撮影を行うのか動画撮影を行うのか、絞り値が優先的に設定される操作がされているか等に基づいて、絞りユニット２６０に動作を指示する。
【００４８】
レンズコントローラー２４０は、カメラコントローラー１４０からの制御信号に基づいて、ＯＩＳ用ＩＣ２２３やフォーカスモータ２３３などのレンズユニット２００全体を制御する。また、検出器２１２、ＯＩＳ用ＩＣ２２３、相対位置検出器２３１、原点位置検出器２３２などから信号を受信して、カメラコントローラー１４０に送信する。レンズコントローラー２４０は、カメラコントローラー１４０との送受信を、レンズマウント２５０及びボディマウント１５０を介して行う。レンズコントローラー２４０は、制御の際、ＤＲＡＭ２４１をワークメモリとして使用する。また、フラッシュメモリ２４２は、レンズコントローラー２４０の制御の際に使用するプログラムやパラメータを保存する。
【００４９】
（１−４：外部フラッシュ）
図６は、外部フラッシュ３００（閃光装置の一例）を装着したカメラシステム１のブロック図である。外部フラッシュ３００は、外部フラッシュ光源３０１と、外部補助光源３０２と、フラッシュコントローラー３０３と、ホットシューマウント３０４と、電源３０５とを備える。
【００５０】
ホットシューマウント３０４は、カメラ本体１００のホットシュー１６１に装着される。ホットシューマウント３０４は、データ信号端子３６２、ＸＳＷ信号端子３６３、外部フラッシュ装着検知用端子３６４を有し、カメラ本体１００のデータ信号端子１６２、ＸＳＷ信号端子１６３、外部フラッシュ装着検知用端子１６４とそれぞれ接触する。データ信号端子３６２とＸＳＷ信号端子３６３とは、フラッシュコントローラー３０３に接続されている。外部フラッシュ装着検知用端子３６４は、電気的なグラウンドに接続されている。
【００５１】
フラッシュコントローラー３０３は、外部フラッシュ光源３０１、外部補助光源３０２等、外部フラッシュ３００の各部を制御する。外部フラッシュ光源３０１はフラッシュコントローラー３０３の制御により白色の閃光を発する。外部補助光源３０２はフラッシュコントローラー３０３の制御により赤色を含む可視光の光を発する。本実施形態では、分光特性の強度のピーク値の波長が６１２ｎｍの光を発する。電源３０５は、外部フラッシュ３００の各部に電力を供給する。
【００５２】
外部フラッシュ３００がカメラ本体１００に装着されると、外部フラッシュ装着検知用端子１６４と外部フラッシュ装着検知用端子３６４が電気的に接続される。そして、カメラコントローラー１４０は、外部フラッシュ装着検知用端子１６４の電圧がグラウンドレベルになったことを検知することにより、外部フラッシュ３００が装着されていることを検出する。
【００５３】
図７は、従来の外部フラッシュ４００（閃光装置の一例）を装着したカメラシステム１のブロック図である。従来の外部フラッシュ４００は、外部補助光源４０２の発する光が近赤外光であるものが多い。これは、近赤外光のように長波長の光の方が減衰しにくくより遠くまで届き、一眼レフレックスカメラで一般的であった位相差検出ユニットの検知感度も高いためである。また、被写体となる人間がまぶしいと感じにくいためでもある。なお、近赤外光とは、例えば、波長が約７００ｎｍ以上の光を言い、具体的には、分光特性のエネルギー強度のピーク値の波長が約７００ｎｍ以上の光を言う。また、分光特性とは、発光した光が有する波長別にみたエネルギー強度分布を言う。分光特性は、発光スペクトルとも呼ばれている。
【００５４】
外部フラッシュ３００の外部補助光源３０２は、従来の外部フラッシュ４００の外部補助光源４０２が発する光の波長よりも短い波長の光を発する点が特徴的である。
【００５５】
（２：オートフォーカス）
（２−１：ビデオＡＦ）
カメラ本体１００は、一眼レフレックスカメラのようにミラーボックス装置を有していない。そして、一眼レフレックスカメラのように、ミラーボックス装置によって導かれた被写体光を受けて位相差式のオートフォーカス（以下、ＡＦとも言う）を行う位相差検出ユニットも有していない。そこで、カメラ本体１００は、ＣＭＯＳイメージセンサー１１０により得られた画像データに基づいてＡＦを行うビデオＡＦを行う。具体的には、フォーカスレンズ２３０の位置を変えて逐次ＣＭＯＳイメージセンサー１１０から得られる画像データからコントラストの評価値を算出するコントラストＡＦを行う。そして、評価値が最も大きくなったフォーカスレンズ２３０の位置にフォーカスレンズ２３０を移動し、合焦状態にする。
【００５６】
被写体が暗いと、画像データが暗くなり、評価値が得られにくい。そこで、画像データに基づいて被写体が暗いと判断した場合には、内部補助光源１９２を発光し、被写体を照射する。図８は、光学フィルタ１１４の分光透過率と補助光の分光特性を示す図である。内部補助光源１９２は、光学フィルタ１１４でカットされない光を発する。具体的には、光学フィルタ１１４は赤色光よりも波長の長い光、主に近赤外光をカットする。内部補助光源１９２は、光学フィルタ１１４にカットされにくい赤色光を発する。したがって、内部補助光源１９２によって照射された被写体からの光は光学フィルタ１１４を透過しＣＭＯＳイメージセンサー１１０に届く。
【００５７】
（２−２：外部フラッシュ装着時）
内部フラッシュ１９１および内部補助光源１９２は、小型化により、光量が制限されている。そのため、被写体が遠くて内部フラッシュ１９１または内部補助光源１９２の光が被写体に届かない場合、又は、被写体を十分に明るく照らすことができない場合には、使用者により外部フラッシュ３００がカメラ本体１００に装着される。外部フラッシュ３００は、大型で光量が大きいものでも装着可能だからである。
【００５８】
カメラ本体１００に対応した外部フラッシュ３００の場合、外部補助光源３０２は、光学フィルタ１１４でカットされない光を発するものを用いている。具体的には、外部補助光源３０２は、光学フィルタ１１４にカットされにくい赤色光を発するものを用いている。したがって、カメラ本体１００に対応した外部フラッシュ３００がカメラ本体１００に装着された場合であって、評価値の取得に補助光が必要と判断した場合には、外部補助光源３０２によって被写体を照射する。
【００５９】
ところが、従来の外部フラッシュ４００は、外部補助光源４０２の発する光が近赤外光であるものが多い。そのため、外部補助光源４０２を使用しても、外部補助光源４０２で照らされた被写体からの光が光学フィルタ１１４でカットされ、ＣＭＯＳイメージセンサー１１０に十分な量の光が到達しない。このように、従来の外部フラッシュ４００は、ビデオＡＦに対応していないものが多い。
【００６０】
そこで、本実施形態のカメラ本体１００は、ビデオＡＦに対応していない外部フラッシュ４００が装着された場合に、外部補助光源４０２を使用せず、外部フラッシュ光源３０１を使用してビデオＡＦを行う。図９は、ビデオＡＦ時の補助光の使用に関するフローチャートである。
【００６１】
ビデオＡＦが開始されると（ステップＳ０１）、カメラコントローラー１４０は補助光を使用するかどうかを判断する（ステップＳ０２）。具体的には、例えば、フラッシュを強制的に使用するモードが設定されている場合は補助光を使用すると判断し、フラッシュの使用を禁止するモードが設定されている場合は補助光を使用しないと判断し、フラッシュの使用を自動で選択するモードが設定されている場合は、ＣＭＯＳイメージセンサー１１０からの画像データの明るさが暗い場合に補助光を使用すると判断する。また、被写体までの距離が遠い場合には補助光を使用しないと判断してもよい。補助光を使用しないと判断した場合（ステップＳ０２でＮｏの場合）は、補助光を使用せずにビデオＡＦを行う（ステップＳ０３）。
【００６２】
補助光を使用すると判断した場合（ステップＳ０２でＹｅｓ）、カメラコントローラー１４０は、カメラ本体１００に外部フラッシュが装着されているかどうかを判断する（ステップＳ０４）。外部フラッシュが装着されていないと判断した場合（ステップＳ０４でＮｏの場合）、カメラコントローラー１４０は、内部補助光源１９２を発光し、被写体に光を照らした状態でビデオＡＦを行う（ステップＳ０５）。ここでは、被写体に内部補助光源１９２の光を照射した状態で評価値を算出するため、評価値が最も大きくなったフォーカスレンズ２３０の位置においては、内部補助光源１９２の光（以下、内部補助光とも言う）の焦点がＣＭＯＳイメージセンサー１１０の撮像面に位置することになる。しかし、撮影時の光は内部補助光と波長が異なっている。波長によって焦点位置が異なっているため、内部補助光の焦点位置と撮影時の光の焦点位置は異なっている。従って、撮影時の光の焦点がＣＭＯＳイメージセンサー１１０の撮像面に位置するように補正する必要がある。図１０を用いて詳細に説明する。図１０は補助光使用時の合焦位置補正の概念図である。図１０（ａ）は、内部補助光の場合、又は、ビデオＡＦ対応の外部補助光の場合の合焦位置補正の概念図である。
【００６３】
レンズユニット２００は、撮影時に使用される光として、所定の波長の基準光を決めてあり、ズームレンズの位置およびフォーカスレンズ２３０の位置に応じてそれぞれ内部補助光と基準光の焦点位置のずれ量が設計値として算出または測定されている。そして、レンズユニット２００は、内部補助光と基準光との焦点位置のずれを補正するためにフォーカスレンズ２３０を移動する量（以下、第１補正量とも言う）Ｘ１を、ズームレンズの位置およびフォーカスレンズ２３０の位置に応じてそれぞれ記憶している。第１補正量Ｘ１は、言い換えると、内部補助光がＣＭＯＳイメージセンサー１１０に合焦している状態からフォーカスレンズ２３０をどれだけ移動すれば基準光がＣＭＯＳイメージセンサー１１０に合焦するかの情報である。カメラコントローラー１４０は、例えばレンズユニット２００が装着されたとき、又は、電源がＯＮとなったときに、ズームレンズの位置およびフォーカスレンズ２３０の位置と第１補正量との関係に関するデータをレンズユニット２００のレンズコントローラー２４０から取得する。そして、内部補助光を被写体に照射してビデオＡＦを行う際（ステップＳ０５）、評価値が最大値となったフォーカスレンズ２３０の位置から、その際のズームレンズ位置、フォーカスレンズ２３０位置に応じた第１補正量Ｘ１だけフォーカスレンズ２３０を移動する。これにより、基準光がＣＭＯＳイメージセンサー１１０に合焦する。なお、基準光としては、例えば、蛍光灯の光や太陽光の分光特性が高い波長を設定する。例えば、緑の光を基準光とする。
【００６４】
図９に戻って、外部フラッシュが装着されていると判断した場合（ステップＳ０４でＹｅｓの場合）、カメラコントローラー１４０は、外部フラッシュがビデオＡＦに対応しているかどうかを判断する（ステップＳ０６）。具体的には、例えば、フラッシュコントローラー３０３にビデオＡＦ対応可否の情報を記憶させ、カメラコントローラー１４０はこの情報をフラッシュコントローラー３０３に要求する。カメラコントローラー１４０は、ビデオＡＦ可の情報を受信した場合は、ビデオＡＦ可（ステップＳ０６でＹｅｓ）と判断し、ビデオＡＦ否の情報を受信した場合、または、ビデオＡＦ可否の情報を受信できなかった場合は、ビデオＡＦ否（ステップＳ０６でＮｏ）と判断する。ビデオＡＦ対応可否の情報は、外部補助光源の光の色が近赤外光の場合にビデオＡＦ対応否とし、外部補助光源の光の色が赤色を含む可視光の場合にビデオＡＦ可とする。また例えば、フラッシュコントローラー３０３に品番情報を記憶させ、カメラコントローラー１４０はこの情報をフラッシュコントローラー３０３に要求する。カメラコントローラー１４０はフラッシュコントローラー３０３から受信した品番情報に基づいてビデオＡＦ対応可否を判断する。具体的には、カメラコントローラー１４０には、ビデオＡＦ可能な外部フラッシュの品番情報のリストを記憶させる。そして、カメラコントローラー１４０はフラッシュコントローラー３０３から受信した品番情報とリストとを照合し、一致する品番情報がリストにある場合にはビデオＡＦ可（ステップＳ０６でＹｅｓ）と判断し、一致する品番情報がリストにない場合にはビデオＡＦ否（ステップＳ０６でＮｏ）と判断する。ここでも、外部補助光源の光の色が赤色を含む可視光の場合にビデオＡＦ可とする。
【００６５】
外部フラッシュがビデオＡＦに対応していると判断した場合（ステップＳ０６でＹｅｓの場合）、例えば、外部フラッシュ３００が装着された場合、カメラコントローラー１４０はフラッシュコントローラー３０３を介して外部補助光源３０２を発光し、被写体に光を照らした状態でビデオＡＦを行う（ステップＳ０７）。このとき、内部補助光を使用したビデオＡＦ（ステップＳ０５）と同様に、第１補正量Ｘ１を用いて外部補助光源３０２の光と基準光の合焦位置のずれを補正する。
【００６６】
外部フラッシュがビデオＡＦに対応していないと判断した場合（ステップＳ０６でＮｏの場合）、例えば、外部フラッシュ４００が装着された場合、カメラコントローラー１４０はフラッシュコントローラー３０３を介して外部フラッシュ光源３０１を間欠的に発光させ、被写体に光を間欠的に照射した状態でビデオＡＦを行う（ステップＳ０８）。具体的には、評価値を算出するための画像データの取得と同期し、当該画像データを取得する被写体光が露光する期間、外部フラッシュ光源３０１を発光する。
【００６７】
外部フラッシュ光源３０１の間欠発光（ステップＳ０８）の具体例について図１１を用いて詳細に説明する。図１１は、ビデオＡＦ時の外部フラッシュ光源３０１の間欠発光のタイミングチャートである。
【００６８】
カメラコントローラー１４０は、３０Ｈｚ、６０Ｈｚ等の所定の周期で映像同期信号を発生する。タイミング発生器１１２は、映像同期信号に同期してＣＭＯＳイメージセンサー１１０の動作を制御する。ＣＭＯＳイメージセンサー１１０は、映像同期信号の周期で、露光による電荷の蓄積と電荷の読み出しを行う。具体的には、ＣＭＯＳイメージセンサー１１０の上のラインから電荷の蓄積と電荷の読み出しを行う。電荷の読み出しのタイミング、すなわち、電荷の蓄積の開始のタイミングは、上のラインから時間をずらして逐次行われる。
【００６９】
ＣＭＯＳイメージセンサー１１０の一部の領域（ＡＦ領域）の画像データに基づいて評価値を算出する場合、カメラコントローラー１４０は、ＡＦ領域が含まれるラインを抽出し、これらのラインに同じ時間だけ外部フラッシュ光源３０１の光があたるように外部フラッシュ光源３０１の発光開始時間と発光期間を設定する。発光開始時間は、例えば、抽出されたラインのうち、最も遅く電荷の蓄積を開始するラインの電荷蓄積開始時間とする。発光期間は、例えば、電荷蓄積開始時間から、抽出されたラインのうち、最も早く電荷の蓄積を終了するラインの電荷蓄積終了時間（電荷読み出し開始時間）までの期間とする。カメラコントローラー１４０は発光開始時間をパルス信号で表したＸＳＷ信号をＸＳＷ信号端子１６３とＸＳＷ信号端子３６３とを介してフラッシュコントローラー３０３に送る。また、発光期間に関する情報をビデオＡＦ開始前にデータ信号端子１６２とデータ信号端子３６２とを介してフラッシュコントローラー３０３に送る。
【００７０】
フラッシュコントローラー３０３は、ビデオＡＦ開始前に、発光期間に関する情報に基づいて、タイマーの上限値Ｎｓを設定する。そして、ＸＳＷ信号を受け取ると、外部フラッシュ光源３０１の発光を開始し、タイマーのカウントを開始する。タイマーが上限値Ｎｓになると、外部フラッシュ光源３０１の発光を終了し、タイマーをリセットする。このようにして、外部フラッシュ光源３０１は間欠発光する。
【００７１】
ＡＦ領域の画像データを取得したのち、このデータに基づいてカメラコントローラー１４０は評価値を算出する。ＡＦ領域の露光期間（電荷蓄積期間）に外部フラッシュ光源３０１が間欠的に発光されることにより、評価値として十分なものを取得することができる。
【００７２】
ビデオＡＦが終了すると、カメラコントローラー１４０は、間欠発光を終了するとの情報をデータ信号端子１６２とデータ信号端子３６２とを介してフラッシュコントローラー３０３に送る。フラッシュコントローラー３０３は、間欠発光の制御モードを終了する。
【００７３】
本実施形態によれば、ビデオＡＦに対応していない従来の外部フラッシュ４００をカメラ本体１００に装着してビデオＡＦを行うことが可能となる。従って、従来の外部フラッシュとの互換性を有する小型の交換レンズ式のデジタルカメラを提供することが可能である。
【００７４】
＜第２実施形態＞
第１実施形態のカメラ本体１００と異なる点についてのみ説明し、共通する部分の説明を省略する。なお、第１実施形態と同一の部材については同一の符号を付す。以下、第２実施形態に係るカメラ本体１００は、ビデオＡＦに対応していない外部フラッシュが装着された場合の動作が第１実施形態のカメラ本体１００と異なる。他の構成等については、第１実施形態と同様である。
【００７５】
図１２は、第２実施形態に係るビデオＡＦ時の補助光の使用に関するフローチャートである。ステップＳ０１からステップＳ０７までの動作は、第１実施形態と同じである。
【００７６】
第２実施形態では、外部フラッシュがビデオＡＦに対応していないと判断した場合（ステップＳ０６でＮｏの場合）、例えば、外部フラッシュ４００が装着された場合、カメラコントローラー１４０はフラッシュコントローラー３０３を介して外部補助光源４０２を発光させ、被写体に外部補助光源４０２の光を照射した状態でビデオＡＦを行う（ステップＳ０９）。外部補助光源４０２の光は、近赤外光である可能性が高いため、被写体からの光の多くは光学フィルタ１１４でカットされる。そして、光学フィルタ１１４を透過した光は少ないため、ＣＭＯＳイメージセンサー１１０で取得される画像データは明るくない。
【００７７】
そこで、ＣＭＯＳイメージセンサー１１０は、ビデオＡＦ時の赤色のカラーフィルターが配置された画素からの信号を静止画撮影時よりも強調する。具体的には、静止画撮影時の青色のカラーフィルターが配置された画素からの信号の増幅率（以下、青の増幅率とも言う）に対する赤色のカラーフィルターが配置された画素からの信号の増幅率（以下、赤の増幅率とも言う）の比よりもビデオＡＦ時の青の増幅率に対する赤の増幅率の比を大きくする。また、静止画撮影時の緑色のカラーフィルターが配置された画素からの信号の増幅率（以下、緑の増幅率とも言う）に対する赤の増幅率の比よりもビデオＡＦ時の緑の増幅率に対する赤の増幅率の比を大きくする。青の増幅率および緑の増幅率を抑えて画像データのノイズの発生を抑えつつ、赤の増幅率を大きくすることで、外部補助光源４０２の光が照射された被写体の画像データに基づく評価値の精度を高めることができる。なお、別の方法として、赤色のカラーフィルターが配置された画素からの信号のみを用い、その他の色（青色および緑色）のカラーフィルターが配置された画素からの信号を用いないで、画像データを生成し、評価値を算出してもよい。
【００７８】
評価値が最大となるフォーカスレンズ２３０の位置においては、近赤外光の可能性が高い外部補助光源４０２の光がＣＭＯＳイメージセンサー１１０に合焦している。そのため、撮影時の光の焦点がＣＭＯＳイメージセンサー１１０の撮像面に位置するように補正する必要がある。図１０を用いて詳細に説明する。図１０（ｂ）は、ビデオＡＦ非対応の外部補助光の場合の合焦位置補正の概念図である。
【００７９】
レンズユニット２００は、第１補正量Ｘ１の他、第２補正量Ｘ２も記憶している。ズームレンズの位置およびフォーカスレンズ２３０の位置に応じてそれぞれ近赤外光と基準光の焦点位置のずれ量が設計値として算出または測定されている。そして、レンズユニット２００は、近赤外光と基準光との焦点位置のずれを補正するためにフォーカスレンズ２３０を移動する量（以下、第２補正量とも言う）Ｘ２を、ズームレンズの位置およびフォーカスレンズ２３０の位置に応じてそれぞれ記憶している。第２補正量Ｘ２は、言い換えると、近赤外光がＣＭＯＳイメージセンサー１１０に合焦している状態からフォーカスレンズ２３０をどれだけ移動すれば基準光がＣＭＯＳイメージセンサー１１０に合焦するかの情報である。カメラコントローラー１４０は、例えばレンズユニット２００が装着されたとき、又は、電源がＯＮとなったときに、ズームレンズの位置およびフォーカスレンズ２３０の位置と第２補正量Ｘ２との関係に関するデータをレンズユニット２００のレンズコントローラー２４０から取得する。そして、ビデオＡＦ非対応の外部フラッシュ４００の外部補助光源４０２の光を被写体に照射してビデオＡＦを行う際（ステップＳ０９）、評価値が最大値となったフォーカスレンズ２３０の位置から、その際のズームレンズ位置、フォーカスレンズ２３０位置に応じた第２補正量Ｘ２だけフォーカスレンズ２３０を移動する。これにより、基準光がＣＭＯＳイメージセンサー１１０に合焦する。
【００８０】
本実施形態によれば、ビデオＡＦに対応していない従来の外部フラッシュ４００をカメラ本体１００に装着してビデオＡＦを行うことが可能となる。従って、従来の外部フラッシュとの互換性を有する小型の交換レンズ式のデジタルカメラを提供することが可能である。
【００８１】
＜その他の実施の形態＞
以上により、実施形態を説明した。しかし、本発明は、これらには限定されない。そこで、本発明の他の実施形態を本欄にまとめて説明する。
【００８２】
（Ａ）
実施形態では、内部フラッシュ１９１と内部補助光源１９２との両方を有していたが、これらの一方または双方を有していなくてもよい。
【００８３】
（Ｂ）
ステップＳ０６の別の具体例として、以下のものでもよい。カメラコントローラー１４０には、ビデオＡＦ不可能な外部フラッシュの品番情報のリストを記憶させる。そして、カメラコントローラー１４０はフラッシュコントローラー３０３から受信した品番情報とリストとを照合し、一致する品番情報がリストにない場合にはビデオＡＦ可（ステップＳ０６でＹｅｓ）と判断し、一致する品番情報がリストにある場合にはビデオＡＦ否（ステップＳ０６でＮｏ）と判断する。ここでも、外部補助光源の光の色が赤色を含む可視光の場合にビデオＡＦ可とする。
【００８４】
（Ｃ）
実施形態では、カメラモニタ１２０とＥＶＦ１８０の両方を有していたが、カメラモニタ１２０とＥＶＦ１８０の一方のみを有する構成でもよい。
【００８５】
（Ｄ）
実施形態では、ＯＩＳレンズ２２０を有する構成を例示したが、これは、本発明に必須の構成ではない。すなわち、手振れ補正機能を有することのない交換レンズを装着したカメラシステムにも本発明は適用可能である。
【００８６】
（Ｅ）
電気接点１５３は、ボディマウントリング１５１により保持されてもよい。例えば、電気接点１５３を、ボディマウントリング１５１の内周と外周の間に設けても良い。
【００８７】
＜実施形態の特徴＞
上記実施形態において特徴的な部分を以下に列記する。なお、上記実施形態に含まれる発明は以下に限定されるものではない。
【００８８】
（１）
第１実施形態のカメラ本体は、
着脱可能なレンズユニットを支持するボディマウントと、
被写体の光学像を撮像して画像データを生成する撮像素子と、
着脱可能な閃光装置を支持するホットシューと、
撮像素子からの画像データに基づき評価値を算出してビデオＡＦを行うカメラコントローラーと、を備え、
前記カメラコントローラーは、補助光を使用すると判断した場合であってビデオＡＦに対応していない外部補助光源を有する閃光装置が装着された場合に、当該閃光装置の外部フラッシュ光源を間欠発光させて前記撮像素子に画像データを取得させるように制御し、当該画像データに基づいて評価値を算出する。
【００８９】
これにより、従来の閃光装置との互換性を有する小型の交換レンズ式のデジタルカメラを提供することが可能である。
【００９０】
（２）
上記（１）に記載のカメラ本体であって、
前記カメラコントローラーは、補助光を使用すると判断した場合であってビデオＡＦに対応していない外部補助光源を有する閃光装置が装着された場合に、前記画像データ取得のための前記撮像素子の電荷蓄積周期に同期して前記閃光装置の外部フラッシュ光源を間欠発光させる。
【００９１】
これにより、被写体が暗い場合にも従来の閃光装置を使用して制度の高いビデオＡＦが可能となる。
【００９２】
（３）
第２実施形態のカメラ本体は、
着脱可能なレンズユニットを支持するボディマウントと、
被写体の光学像を撮像して画像データを生成する撮像素子と、
着脱可能な閃光装置を支持するホットシューと、
撮像素子からの画像データに基づき評価値を算出してビデオＡＦを行うカメラコントローラーと、を備え、
前記カメラコントローラーは、補助光を使用すると判断した場合であってビデオＡＦに対応していない外部補助光源を有する閃光装置が装着された場合に、当該閃光装置の外部補助光源を発光させ、赤色のカラーフィルターが配置された画素からの信号を静止画撮影時よりも強調して画像データを取得するように前記撮像素子を制御する。
【００９３】
これにより、従来の閃光装置との互換性を有する小型の交換レンズ式のデジタルカメラを提供することが可能である。
【００９４】
（４）
上記（３）に記載のカメラ本体であって、
前記カメラコントローラーは、静止画撮影時の青色のカラーフィルターが配置された画素からの信号の増幅率に対する赤色のカラーフィルターが配置された画素からの信号の増幅率の比よりもビデオＡＦ時の青色のカラーフィルターが配置された画素からの信号の増幅率に対する赤色のカラーフィルターが配置された画素からの信号の増幅率の比を大きくし、および/または、静止画撮影時の緑色のカラーフィルターが配置された画素からの信号の増幅率に対する赤色のカラーフィルターが配置された画素からの信号の増幅率の比よりもビデオＡＦ時の緑色のカラーフィルターが配置された画素からの信号の増幅率に対する赤色のカラーフィルターが配置された画素からの信号の増幅率の比を大きくするようして前記画像データを取得するに前記撮像素子を制御することで、赤色のカラーフィルターが配置された画素からの信号を静止画撮影時よりも強調して画像データを取得するように前記撮像素子を制御する。
【００９５】
これにより、画像データのノイズの増加を抑えつつ、外部補助光源の光が照射された被写体の画像データに基づく評価値の精度を高めることができる。
【００９６】
（５）
上記（３）に記載のカメラ本体であって、
前記カメラコントローラーは、赤色のカラーフィルターが配置された画素からの信号にのみ基づいて画像データを取得するように前記撮像素子を制御することで、赤色のカラーフィルターが配置された画素からの信号を静止画撮影時よりも強調して画像データを取得するように前記撮像素子を制御する。
【００９７】
これにより、画像データのノイズの増加を抑えつつ、外部補助光源の光が照射された被写体の画像データに基づく評価値の精度を高めることができる。
【００９８】
（６）
上記（３）から（５）のいずれかに記載のカメラ本体であって、
前記カメラコントローラーは、ビデオＡＦに対応している外部補助光源を発光させビデオＡＦを行う際、ビデオＡＦに対応している外部補助光源の光と基準光との焦点位置のずれを補正し、ビデオＡＦに対応していない外部補助光源を発光させビデオＡＦを行う際、ビデオＡＦに対応していない外部補助光源の光と基準光との焦点位置のずれを補正する。
【００９９】
これにより、合焦精度を高めることができる。
【０１００】
（７）
上記（３）から（５）のいずれかに記載のカメラ本体であって、
前記カメラコントローラーは、ビデオＡＦに対応している外部補助光源を発光させビデオＡＦを行う際、ビデオＡＦに対応している外部補助光源の光と基準光との焦点位置のずれを補正するためにフォーカスレンズを移動する量である第１補正量を用い、ビデオＡＦに対応していない外部補助光源を発光させビデオＡＦを行う際、ビデオＡＦに対応していない外部補助光源の光と基準光との焦点位置のずれを補正するためにフォーカスレンズを移動する量である第２補正量を用いる。
請求項１から３のいずれかに記載のカメラ本体。
【０１０１】
これにより、合焦精度を高めることができる。
【０１０２】
（８）
上記（１）から（７）のいずれかに記載のカメラ本体であって、
前記カメラコントローラーは、外部補助光源がビデオＡＦに対応可能か否かに関するビデオＡＦ可否の情報を当該閃光装置から取得し、当該ＡＦ可否の情報に基づいて当該閃光装置の外部補助光源がビデオＡＦに対応しているか否かを判断する。
【０１０３】
（９）
上記（８）に記載のカメラ本体であって、
前記カメラコントローラーは、前記ビデオＡＦ可否の情報がビデオＡＦ可の場合は、前記装着された閃光装置の外部補助光源がビデオＡＦに対応可能と判断し、前記ビデオＡＦ可否の情報がビデオＡＦ否の場合、または、前記ビデオＡＦ可否の情報が取得できなかった場合は、ビデオＡＦに対応不可能と判断する。
【０１０４】
（１０）
上記（１）から（７）のいずれかに記載のカメラ本体であって、
前記カメラコントローラーは、装着された閃光装置の品番に関する品番情報を当該閃光装置から取得し、当該品番情報に基づいて当該閃光装置の外部補助光源がビデオＡＦに対応しているか否かを判断する。
【０１０５】
（１１）
上記（１０）に記載のカメラ本体であって、
前記カメラコントローラーは、ビデオＡＦに対応している外部補助光源を有する閃光装置の品番情報のリストを記憶し、前記装着された閃光装置から取得した前記品番情報が当該リストの品番情報と一致する場合には、当該装着された閃光装置の外部補助光源がビデオＡＦに対応可能と判断し、前記装着された閃光装置から取得した前記品番情報が当該リストの品番情報と一致しない場合には、当該装着された閃光装置の外部補助光源がビデオＡＦに対応不可能と判断する。
【０１０６】
（１２）
上記（１０）に記載のカメラ本体であって、
前記カメラコントローラーは、ビデオＡＦに対応していない外部補助光源を有する閃光装置の品番情報のリストを記憶し、前記装着された閃光装置から取得した前記品番情報が当該リストの品番情報と一致しない場合には、当該装着された閃光装置の外部補助光源がビデオＡＦに対応可能と判断し、前記装着された閃光装置から取得した前記品番情報が当該リストの品番情報と一致する場合には、当該装着された閃光装置の外部補助光源がビデオＡＦに対応不可能と判断する。
【０１０７】
実施形態の特徴は、以下のようにも表現できる。
【０１０８】
（１３）
第１実施形態のカメラ本体は、
着脱可能なレンズユニットを支持するボディマウントと、
被写体の光学像を撮像して画像データを生成する撮像素子と、
着脱可能な閃光装置を支持するホットシューと、
撮像素子からの画像データに基づき評価値を算出してビデオＡＦを行うカメラコントローラーと、を備え、
前記カメラコントローラーは、補助光を使用すると判断した場合であって近赤外光を発する外部補助光源を有する閃光装置が装着された場合に、当該閃光装置の外部フラッシュ光源を間欠発光させて前記撮像素子に画像データを取得させるように制御し、当該画像データに基づいて評価値を算出する。
【０１０９】
（１４）
上記（１３）に記載のカメラ本体であって、
前記カメラコントローラーは、補助光を使用すると判断した場合であって近赤外光を発する外部補助光源を有する閃光装置が装着された場合に、前記画像データ取得のための前記撮像素子の電荷蓄積周期に同期して前記閃光装置の外部フラッシュ光源を間欠発光させる。
【０１１０】
（１５）
第２実施形態のカメラ本体は、
着脱可能なレンズユニットを支持するボディマウントと、
被写体の光学像を撮像して画像データを生成する撮像素子と、
着脱可能な閃光装置を支持するホットシューと、
撮像素子からの画像データに基づき評価値を算出してビデオＡＦを行うカメラコントローラーと、を備え、
前記カメラコントローラーは、補助光を使用すると判断した場合であって近赤外光を発する外部補助光源を有する閃光装置が装着された場合に、当該閃光装置の外部補助光源を発光させ、赤色のカラーフィルターが配置された画素からの信号を静止画撮影時よりも強調して画像データを取得するように前記撮像素子を制御する。
【０１１１】
（１６）
上記（１５）に記載のカメラ本体であって、
前記カメラコントローラーは、静止画撮影時の青色のカラーフィルターが配置された画素からの信号の増幅率に対する赤色のカラーフィルターが配置された画素からの信号の増幅率の比よりもビデオＡＦ時の青色のカラーフィルターが配置された画素からの信号の増幅率に対する赤色のカラーフィルターが配置された画素からの信号の増幅率の比を大きくし、および/または、静止画撮影時の緑色のカラーフィルターが配置された画素からの信号の増幅率に対する赤色のカラーフィルターが配置された画素からの信号の増幅率の比よりもビデオＡＦ時の緑色のカラーフィルターが配置された画素からの信号の増幅率に対する赤色のカラーフィルターが配置された画素からの信号の増幅率の比を大きくするようして前記画像データを取得するに前記撮像素子を制御することで、赤色のカラーフィルターが配置された画素からの信号を静止画撮影時よりも強調して画像データを取得するように前記撮像素子を制御する。
【０１１２】
（１７）
上記（１５）に記載のカメラ本体であって、
前記カメラコントローラーは、赤色のカラーフィルターが配置された画素からの信号にのみ基づいて画像データを取得するように前記撮像素子を制御することで、赤色のカラーフィルターが配置された画素からの信号を静止画撮影時よりも強調して画像データを取得するように前記撮像素子を制御する。
【０１１３】
（１８）
上記（１５）から（１７）のいずれかに記載のカメラ本体であって、
前記カメラコントローラーは、赤色光を発する外部補助光源を発光させビデオＡＦを行う際、赤色光と基準光との焦点位置のずれを補正し、近赤外光を発する外部補助光源を発光させビデオＡＦを行う際、近赤外光と基準光との焦点位置のずれを補正する。
【０１１４】
（１９）
上記（１５）から（１７）のいずれかに記載のカメラ本体であって、
前記カメラコントローラーは、赤色光を発する外部補助光源を発光させビデオＡＦを行う際、赤色光と基準光との焦点位置のずれを補正するためにフォーカスレンズを移動する量である第１補正量を用い、近赤外光を発する外部補助光源を発光させビデオＡＦを行う際、近赤外光と基準光との焦点位置のずれを補正するためにフォーカスレンズを移動する量である第２補正量を用いる。
【産業上の利用可能性】
【０１１５】
本発明は、カメラシステムに適用できる。具体的には、デジタルスチルカメラやムービーなどに適用可能である。
【図面の簡単な説明】
【０１１６】
【図１】カメラシステム１の斜視図
【図２】カメラ本体１００の斜視図
【図３】カメラシステム１のブロック図
【図４】カメラシステム１の概略断面図
【図５】カメラ本体１００の背面図
【図６】外部フラッシュ３００を装着したカメラシステム１のブロック図
【図７】従来の外部フラッシュ４００を装着したカメラシステム１のブロック図
【図８】光学フィルタ１１４の分光透過率と補助光の発光スペクトル分布を示す図
【図９】第１実施形態に係るビデオＡＦ時の補助光の使用に関するフローチャート
【図１０】補助光使用時の合焦位置補正の概念図、（ａ）は、内部補助光の場合、又は、ビデオＡＦ対応の外部補助光の場合の合焦位置補正の概念図、（ｂ）は、ビデオＡＦ非対応の外部補助光の場合の合焦位置補正の概念図
【図１１】ビデオＡＦ時の外部フラッシュ光源３０１の間欠発光のタイミングチャート
【図１２】第２実施形態に係るビデオＡＦ時の補助光の使用に関するフローチャート
【符号の説明】
【０１１７】
１  カメラシステム
１００、３００  カメラ本体
１１０  ＣＭＯＳイメージセンサー
１１１  ＡＤコンバーター
１１２  タイミング発生器
１１３  ＣＭＯＳ回路基板
１１４  光学フィルタ
１１５  振動板
１２０  カメラモニタ
１２１  ヒンジ
１３０  操作部
１３１  レリーズ釦
１３２  電源スイッチ
１４０  カメラコントローラー
１４１  ＤＲＡＭ
１４２  メイン回路基板
１５０  ボディマウント
１５１  ボディマウントリング
１５２  ボディマウント接点保持部
１５３  電気接点
１６０  電源
１６１  ホットシュー
１６２  データ信号端子
１６３  ＸＳＷ信号端子
１６４  外部フラッシュ装着検知用端子
１７０  カードスロット
１７１  メモリーカード
１８０  電子ビューファインダー
１８１  ＥＶＦ用液晶モニタ
１８２  ＥＶＦ用光学系
１８３  接眼窓
１９０  シャッターユニット
１９１  内部フラッシュ
１９２  内部補助光源
２００  レンズユニット
２１０  ズームレンズ
２１１  駆動機構
２１２  検出器
２１３  ズームリング
２２０  ＯＩＳレンズ
２２１  アクチュエータ
２２２  位置検出センサー
２２３  ＯＩＳ用ＩＣ
２２４  ＯＩＳスイッチ
２３０  フォーカスレンズ
２３１  相対位置検出器
２３２  絶対位置検出器
２３３  フォーカスモータ
２３４  フォーカスリング
２４０  レンズコントローラー
２４１  ＤＲＡＭ
２４２  フラッシュメモリ
２４３  カウンタ
２５０  レンズマウント
２５１  レンズマウントリング
２５３  電気接点
２６０  絞りユニット
２９０  レンズ筒
３００  外部フラッシュ
３０１  外部フラッシュ光源
３０２  外部補助光源
３０３  フラッシュコントローラー
３０４  ホットシューマウント
３０５  電源
３６２  データ信号端子
３６３  ＸＳＷ信号端子
３６４  外部フラッシュ装着検知用端子
４００  外部フラッシュ
４０２  外部補助光源
Ｘ１  第１補正量
Ｘ２  第２補正量
【図１】
2010074589.tif 000003
【図２】
2010074589.tif 000004
【図３】
2010074589.tif 000005
【図４】
2010074589.tif 000006
【図５】
2010074589.tif 000007
【図６】
2010074589.tif 000008
【図７】
2010074589.tif 000009
【図８】
2010074589.tif 000010
【図９】
2010074589.tif 000011
【図１０】
2010074589.tif 000012
【図１１】
2010074589.tif 000013
【図１２】
2010074589.tif 000014